(57)【要約】  【課題】組み付け後に高い強度が得られると共に、組立作業時の作業性にも優れる骨格ブロックとこの骨格ブロックにより構成される骨格ブロック構造体及び骨格ブロック構造体からなる貯水施設を提供することにある。  【解決手段】平板状方形型の基台と、前記基台の上面に立設され先端に支持体側嵌合部を有する支持体と、前記基台の上面に設けられ前記支持体側嵌合部が嵌合可能な基台側嵌合部と、前記基台の下面の外周部に設けられる基台外周嵌合部とを備え、更に前記基台外周嵌合部と嵌合可能な基台外周嵌合受け部と基台中央嵌合受け部の少なくとも１つを備える骨格ブロックであって、前記基台の下面を対向させて重ね、次いで一方の骨格ブロックの中心を他方の骨格ブロックの隅部に移動させたとき、支持体の立設位置が重なる場合のみ嵌合することを特徴とする骨格ブロック。  【選択図】  図１
2007262822.tif 000002
【特許請求の範囲】
【請求項１】
雨水などの貯水施設を構成する空間保持骨格ブロック構造体を形成する骨格ブロックであって、
前記骨格ブロックは、
（１）平板状方形型の基台と、
（２）前記基台の上面に立設され先端に支持体側嵌合部を有する支持体と、
（３）前記基台の上面に設けられ前記支持体側嵌合部が嵌合可能な基台側嵌合部と、
（４）前記基台の下面の外周部に設けられる基台外周嵌合部と、
（５）前記（４）と嵌合可能な基台外周嵌合受け部と、
（６）前記基台の中央部に設けられ前記（４）と嵌合可能な基台中央嵌合受け部
の（１）〜（６）の内の少なくとも（１）〜（４）と（６）の少なくとも５つを備え、
前記（４）と前記（６）は、一対の前記骨格ブロックの前記基台の下面を対向させて重ね、次いで一方の骨格ブロックの中心を他方の骨格ブロックの隅部に移動させたとき、一方の骨格ブロックの前記（２）の立設位置と他方の骨格ブロックの前記（２）の立設位置が重なる場合のみ嵌合する形状及び配置であることを特徴とする骨格ブロック。
【請求項２】
雨水などの貯水施設を構成する空間保持骨格ブロック構造体を形成する骨格ブロックであって、
前記骨格ブロックは、
（１）平板状方形型の基台と、
（２）前記基台の上面に立設され先端に支持体側嵌合部を有する支持体と、
（３）前記基台の上面に設けられ前記支持体側嵌合部が嵌合可能な基台側嵌合部と、
（４）前記基台の下面の外周部に設けられる基台外周嵌合部と、
（５）前記（４）と嵌合可能な基台外周嵌合受け部と、
（６）前記基台の中央部に設けられ前記（４）と嵌合可能な基台中央嵌合受け部
の（１）〜（６）の内の少なくとも（１）〜（４）と（５）の少なくとも５つを備え、
前記（４）と前記（５）は、一対の前記骨格ブロックの前記基台の下面を対向させて重ねた場合に、一方の骨格ブロックの前記（２）の立設位置と他方の骨格ブロックの前記（２）の立設位置が重なるときのみ嵌合できる配置であることを特徴とする骨格ブロック。
【請求項３】
前記（４）は基台の対角線に対して非対称な形状であって、前記基台の２本の対角線の交点を通り前記基台に対して垂直な軸を対称軸とする１８０度回転対称となる位置で且つ少なくとも２以上の基台の隅部に前記（４）が配置され、
前記（６）の形状は、前記（４）と同形状又は同形状の部位を有する形状であって、前記（６）の配置は、前記基台の中央部に前記（４）と同じ１８０度回転対称となる位置で且つ少なくとも前記（４）と同数の前記（６）が配置されることを特徴とする請求項１記載の骨格ブロック。
【請求項４】
前記（４）の形状は基台の対角線に対して非対称な形状であって、前記（４）の配置は、前記基台の２本の対角線の交点を通り前記基台に対して垂直な軸を対称軸とする１８０度回転対称となる位置で且つ少なくとも２以上の基台の隅部に前記（４）が配置され、
前記（５）の形状は前記（４）と同形状であって、前記（５）は前記（４）と同じ１８０度回転対称となる位置で且つ前記（４）の最近接対角線を対称軸として前記（４）と線対称の位置に前記（４）と同数の前記（５）が配置されることを特徴とする請求項２記載の骨格ブロック。
【請求項５】
前記骨格ブロックの支持体側嵌合部と基台側嵌合部は、いずれか一方が嵌合突起であり、他方が前記嵌合突起に嵌合する嵌合穴であることを特徴とする請求項１から請求項４記載のいずれかの骨格ブロック。
【請求項６】
請求項１〜請求項５のいずれかに記載の骨格ブロックを水平方向及び垂直方向或いは水平方向又は垂直方向に複数個組み付けて構成されることを特徴とする空間保持骨格ブロック構造体。
【請求項７】
請求項６記載の空間保持骨格ブロック構造体を構成する骨格ブロックは、少なくとも水平方向または垂直方向のいずれか一方は、同一形状の骨格ブロックを複数個組み付けて構成したものであることを特徴とする空間保持骨格ブロック構造体。
【請求項８】
請求項６記載の空間保持骨格ブロック構造体を構成する骨格ブロックは、同一形状の骨格ブロックのみ複数個組み付けて構成したものであることを特徴とする空間保持骨格ブロック構造体。
【請求項９】
請求項１〜請求項５のいずれかに記載の骨格ブロックを用いてなる空間保持骨格ブロック構造体を有する雨水等の貯水施設。
【請求項１０】
請求項５〜請求項８のいずれかに記載の空間保持骨格ブロック構造体を有することを特徴とする雨水等の貯水施設。
【発明の詳細な説明】
【技術分野】
【０００１】
本発明は、ビル或いは集合住宅、特に団地などにおいて、雨水などを防火用や散水用、あるいは洪水防止用などとして使用すべく貯水するための雨水などの貯水施設を形成する骨格ブロックに関するものである。
【背景技術】
【０００２】
従来から、例えば、大きなビルや団地周辺の空き地や自転車置き場の地下等において、降った雨を貯水する貯水施設が種々設けられている。
その１つのタイプは、降水を一時的に貯水施設に貯えておいて、少しずつ下水に流す、或いは、周囲に浸透させて都市型の洪水を防ぐ目的で設けられているもの（一時貯留型又は浸透型）である。もう一つのタイプは、貯水施設に貯めた雨水を防火水として、あるいは花壇、菜園等の散水用として利用する目的で設けられたもの（貯水型）である。特に昨今では、夏季の水不足等に備えて、新しくビルや団地を建設する場合には、しばしばこの種の雨水等の貯水施設が設けられるようになってきている。
【０００３】
このような貯水施設は、通常、特許文献１に記載のユニット部材を積層することで、貯水部を構成している。
このユニット部材１０１は、図５に示すようプレート状の基盤部１０２と、該基盤部１０２上に突設された１又は複数の筒体１０３とからなり、筒体１０３は、基盤部１０２の底面に開口１０３ａを有し、基盤部１０２と一体に形成されている。更に、図６で示されるように、貯水部の構成に際しては、このユニット部材１０１を相対して積層することで、貯水に必要な空間を作り出している。なお、図６において、１１０は連結筒、１１１は連結筒内部に設けられるリブを示している。
【０００４】
【特許文献１】特開平１０−２５２１０８号公報
【発明の開示】
【発明が解決しようとする課題】
【０００５】
しかしながら、このようなユニット部材を貯水施設の骨格ブロックとして用いた場合、次のような問題が生じてしまう。
骨格ブロックを上下縦横に組み立てる際、特許文献１に記載されている筒体がテーパ形状をしたユニット部材を用いてユニット部材同士を連接する場合、即ち、ユニット部材の筒体頭頂同士をつき合わせ、中心方向に設けられたリブを内部に備える連結筒で連接するものであるが、ユニット部材を組み立てた貯水部や貯水施設として地中に埋設された場合に、テーパ形状の筒体で一番断面積が小さい筒体頭頂で連接されることから、自重および地中埋設に伴う圧力により変形し易く、貯水部形成に際しての施工性や貯水施設としての安定性を損なう恐れが大きく、特に横方向の力に対してはその恐れがある。
【０００６】
前記問題に鑑み本発明の目的は、骨格ブロックを組み付けて構成した空間保持骨格ブロック構造体において、組み付け後の高い強度を与えると共に、組立作業時の作業性と構造体の組み付け精度にも優れる骨格ブロックとこの骨格ブロックにより構成される骨格ブロック構造体及び骨格ブロック構造体からなる貯水施設を提供するものである。
【課題を解決するための手段】
【０００７】
請求項１記載の発明は、雨水などの貯水施設を構成する空間保持骨格ブロック構造体を形成する骨格ブロックであって、前記骨格ブロックは、（１）平板状方形型の基台と、（２）前記基台の上面に立設され先端に支持体側嵌合部を有する支持体と、（３）前記基台の上面に設けられ前記支持体側嵌合部が嵌合可能な基台側嵌合部と、（４）前記基台の下面の外周部に設けられる基台外周嵌合部と、（５）前記（４）と嵌合可能な基台外周嵌合受け部と、（６）前記基台の中央部に設けられ前記（４）と嵌合可能な基台中央嵌合受け部の（１）〜（６）の内の少なくとも（１）〜（４）と（６）の少なくとも５つを備え、前記（４）と前記（６）は、一対の前記骨格ブロックの前記基台の下面を対向させて重ね、次いで一方の骨格ブロックの中心を他方の骨格ブロックの隅部に移動させたとき、一方の骨格ブロックの前記（２）の立設位置と他方の骨格ブロックの前記（２）の立設位置が重なる場合のみ嵌合する形状及び配置であることを特徴とする骨格ブロックである。
【０００８】
請求項２記載の発明は、雨水などの貯水施設を構成する空間保持骨格ブロック構造体を形成する骨格ブロックであって、前記骨格ブロックは、（１）平板状方形型の基台と、（２）前記基台の上面に立設され先端に支持体側嵌合部を有する支持体と、（３）前記基台の上面に設けられ前記支持体側嵌合部が嵌合可能な基台側嵌合部と、（４）前記基台の下面の外周部に設けられる基台外周嵌合部と、（５）前記（４）と嵌合可能な基台外周嵌合受け部と、（６）前記基台の中央部に設けられ前記（４）と嵌合可能な基台中央嵌合受け部の（１）〜（６）の内の少なくとも（１）〜（４）と（５）の少なくとも５つを備え、前記（４）と前記（５）は、一対の前記骨格ブロックの前記基台の下面を対向させて重ねた場合に、一方の骨格ブロックの前記（２）の立設位置と他方の骨格ブロックの前記（２）の立設位置が重なるときのみ嵌合できる配置であることを特徴とする骨格ブロックである。
【０００９】
請求項３記載の発明は、前記（４）は基台の対角線に対して非対称な形状であって、前記基台の２本の対角線の交点を通り前記基台に対して垂直な軸を対称軸とする１８０度回転対称となる位置で且つ少なくとも２以上の基台の隅部に前記（４）が配置され、  前記（６）の形状は、前記（４）と同形状又は同形状の部位を有する形状であって、前記（６）の配置は、前記基台の中央部に前記（４）と同じ１８０度回転対称となる位置で且つ少なくとも前記（４）と同数の前記（６）が配置されることを特徴とする請求項１記載の骨格ブロックである。
【００１０】
請求項４記載の発明は、前記（４）の形状は基台の対角線に対して非対称な形状であって、前記（４）の配置は、前記基台の２本の対角線の交点を通り前記基台に対して垂直な軸を対称軸とする１８０度回転対称となる位置で且つ少なくとも２以上の基台の隅部に前記（４）が配置され、前記（５）の形状は前記（４）と同形状であって、前記（５）は前記（４）と同じ１８０度回転対称となる位置で且つ前記（４）の最近接対角線を対称軸として前記（４）と線対称の位置に前記（４）と同数の前記（５）が配置されることを特徴とする請求項２記載の骨格ブロックである。
【００１１】
請求項５記載の発明は、前記骨格ブロックの支持体側嵌合部と基台側嵌合部は、いずれか一方が嵌合突起であり、他方が前記嵌合突起に嵌合する嵌合穴であることを特徴とする請求項１から請求項４記載のいずれかの骨格ブロックである。
【００１２】
請求項６記載の発明は、請求項１〜請求項５のいずれかに記載の骨格ブロックを水平方向及び垂直方向或いは水平方向又は垂直方向に複数個組み付けて構成されることを特徴とする空間保持骨格ブロック構造体である。
【００１３】
請求項７記載の発明は、請求項６記載の空間保持骨格ブロック構造体を構成する骨格ブロックは、少なくとも水平方向または垂直方向のいずれか一方は、同一形状の骨格ブロックを複数個組み付けて構成したものであることを特徴とする空間保持骨格ブロック構造体である。
【００１４】
請求項８記載の発明は、請求項６記載の空間保持骨格ブロック構造体を構成する骨格ブロックは、同一形状の骨格ブロックのみ複数個組み付けて構成したものであることを特徴とする空間保持骨格ブロック構造体である。
【００１５】
請求項９記載の発明は、請求項１〜請求項５のいずれかに記載の骨格ブロックを用いてなる空間保持骨格ブロック構造体を有する雨水等の貯水施設である。
【００１６】
請求項１０記載の発明は、請求項５〜請求項８のいずれかに記載の空間保持骨格ブロック構造体を有することを特徴とする雨水等の貯水施設である。
【発明の効果】
【００１７】
以上のように本発明に係る骨格ブロックを組み付けた空間保持骨格ブロック構造体は、その骨格ブロックの積み重ねにおいて、骨格ブロックに備わる支持体同士が積み重なるときのみに骨格ブロックの嵌合が可能なもので、従って、支持体同士が確実に重なり合うことができ、高い組み付け強度を得られるばかりでなく、施工現場での骨格ブロックの組み付けにおいては、骨格ブロックを間違いなく組み付けることができ、信頼性に優れるものであって工業上顕著な効果を奏するものである。
【発明を実施するための最良の形態】
【００１８】
以下に本発明の骨格ブロックの実施例を、図１〜図４を用いて詳細に説明する。尚、以下に説明する骨格ブロックは、従来の雨水などの貯水施設の他にも種々の雨水等の貯水施設に用いることができる。そこで以下においては、雨水などの貯水施設の説明は省略し、本発明の雨水等の貯水施設における特徴である骨格ブロックについて詳細に説明することにする。
【００１９】
図１は本発明の骨格ブロックの一実施例を示す斜視図で、骨格ブロック４と隅部４４ａと隅部４４ｃを結ぶ対角線を回転軸として１８０度回転させ、骨格ブロック４と重ね合わせる骨格ブロック４ａを示している。
図２は骨格ブロックの平面図である。図２において、図２（イ）は図１の骨格ブロック４の基台下面４１ｂを示したもので、図２（ロ）は図１の骨格ブロック４ａの基台上面４１ａを示したものである。
【００２０】
図１及び図２に示すように、この実施例が示す骨格ブロック４、４ａは、平板状で外形が略正方形（以下単に正方形という）の基台４１と、この基台４１の上面の２本の対角線の一方の対角線上に立設され、先端に支持体嵌合部４２ａを有する２本の錐台形状の支持体４２と、支持体４２が立設された同じ基台４１の上面に設けられ、支持体嵌合部４２ａが嵌合可能な２個の基台側嵌合部４３を他方の対角線上に有している。更に、基台４１の四つの隅部４４ａから４４ｄには、基台外周嵌合部４５および基台外周嵌合受け部４６が設けられ、基台中央部には、基台中央嵌合受け部４７を備えている。
【００２１】
この骨格ブロック４を積み重ねて骨格ブロック構造体を形成する場合、図３、図４の「○」で示す積み重ね方法でのみ骨格ブロック４の積層が可能である。
図３は請求項１記載の骨格ブロック４を用いた千鳥配置と呼ばれる積み重ね方法で、図１の矢印で示す位置で嵌合を行うものである。図４は、請求項２記載の骨格ブロック４を用いた単純に上下に配置した積み重ね方法を示している。
【００２２】
図３では、千鳥配置の積み重ね方法による骨格ブロックの積層であり、支持体４２を下向きにして並べた４個の骨格ブロック４の四隅が均等にかかるように１つの骨格ブロック４ａを図３（イ）、（ロ）に示すように重ねたとき、図３(ロ)では、下側の骨格ブロック４の支持体４２の上方に骨格ブロック４ａの支持体４２が配置されていないために、組み付け後の強度に大きな不安が生じてしまう。
対して、図３（イ）で示されるような積み重ね方法では、下側の骨格ブロック４の支持体４２の上方に骨格ブロック４ａの支持体４２が配置されることから、組み付け後に高い強度が得られるものである。
【００２３】
このような積み重ねのみを許容するために基台４１に設けられる基台外周嵌合部４５、基台外周嵌合受け部４６および基台中央嵌合受け部４７の形状及びその配置を図２を用いて説明する。
前記嵌合部及び嵌合受け部は、基台の下面４１ｂに設けられ、基台４１の２本の対角線、対角線Ａ、Ｂに対して非対称な形状であって、その配置は対角線Ａ，Ｂの交点Ｏを通る基台４１の垂線を対称軸とした１８０度回転対称性を持って配置されている。更に、基台外周嵌合部４５と基台外周嵌合受け部４６とは、基台外周嵌合部４５に最近接の対角線、対角線Ａ或いは対角線Ｂを対称軸とした線対称の配置となっているが、千鳥配置での積み重ねの場合では、この基台外周嵌合受け部４６はなくても良い。
【００２４】
図４で示される単純配置の積み重ね方法の場合においても、先に説明した千鳥配置の場合と同様に、下側の骨格ブロック４の支持体４２の上方に骨格ブロック４ａの支持体４２が配置される積み重ね方法のみが許容されるもので、先に図２を用いて説明したような形状および配置で、基台外周嵌合部４５、基台外周嵌合受け部４６、基台中央嵌合受け部４７が設けられるが、この単純配置での積み重ねでは基台中央嵌合受け部４７は無くても良い。
なお、千鳥配置および単純配置のどちらの積み重ねでも使用できる骨格ブロックの場合には、基台外周嵌合部４５、基台外周嵌合受け部４６、基台中央嵌合受け部４７の３者を、前述した形状及び配置で備えれば良い。
【００２５】
上述したような形状および配置を採ることで、請求項１に示す千鳥配置の積み重ね方法では、骨格ブロック４ａの基台４１の隅部４４ｄに設けられている（４）基台外周嵌合部４５（図１には未記載）が、実線矢印に示すように骨格ブロック４の基台４１の中央部に設けられている（６）基台中央嵌合受け部４７の該当箇所に嵌め込まれ、骨格ブロック４の基台４１の隅部４４ｄに設けられた（４）基台外周嵌合部４５が骨格ブロック４ａの（６）基台中央嵌合受け部４７の該当箇所と嵌合することで積み重ねが行われる。
また、請求項２に示す単純配置の積み重ねでは、骨格ブロック４および４ｂの各隅部４４ａと４４ａ、４４ｂと４４ｄ、４４ｃと４４ｃ、４４ｄと４４ｂが重なり、破線矢印に示すように、各隅部に設けられる（４）基台外周嵌合部４５と、（５）基台嵌合受け部４６が嵌合して、骨格ブロック４と骨格ブロック４ａの積み重ねが行われる。
【００２６】
因みに、この基台側嵌合部４３としては嵌合穴であることが一般的であるが、支持体嵌合部４２ａ側を嵌合孔にし、基台側嵌合部４３を嵌合突起にすることもできる。また、基台外周嵌合部４５は一般に嵌合突起であり、基台外周嵌合受け部４６及び基台中央嵌合受け部４７は嵌合孔とするが、その逆であっても良い。
【００２７】
更に、支持体４２の内部は空洞にしたり、二重筒にしたりしてもよい。これらの変形は本発明の骨格ブロック４の範囲内である。因みに、この骨格ブロック４は、低コストで、より軽量にして運搬や組立が容易であるように、通常、ポリプロピレン等の樹脂を射出成形して形成することが一般的である。
更に、基台４１は、骨格ブロック４をより軽量にして運搬を容易にするために、かつ機械的強度をも考慮しながら正方形の基台４１は枠体に複数本のリブを縦、横、斜め等格子状に組み込んだような形状にしている。
【００２８】
前述した本発明に係る骨格ブロックを３次元配列することで、機械的強度に優れ、組立作業性も良い空間保持骨格ブロック構造体が得られ、更に、１種類又は極めて少ない種類の骨格ブロックで構築できるため、組立作業を極めて効率的に行うことができる。
このようにして得られた空間保持骨格ブロック構造体で構成される雨水などの貯水施設は、定期的な土砂堆積量確認検査などに際して、空間保持骨格ブロック構造体内部の見通しをよくすることができ、構造体内部の目視検査などを容易に行うことができる。
【００２９】
以上に述べたように本発明に係る骨格ブロックを組み付けた空間保持骨格ブロック構造体は、その骨格ブロックの積み重ねにおいて、骨格ブロックに備わる支持体同士が積み重なるときのみに骨格ブロックの嵌合が可能なもので、従って、支持体同士が確実に重なり合うことができ、高い組み付け強度を得られるばかりでなく、施工現場での骨格ブロックの組み付けにおいては、間違いなく組み付けることができる信頼性に優れるものであって、このような優れた骨格ブロック、或いはこれを複数組み付けた空間保持骨格ブロック構造体、及びこれら骨格ブロックや空間保持骨格ブロック構造体を有する雨水などの貯水施設を提供することができる。
【図面の簡単な説明】
【００３０】
【図１】本発明の骨格ブロックの一実施例で、骨格ブロックの斜視図である。
【図２】図１に示す骨格ブロックの平面図である。
【図３】図１に示す骨格ブロックを千鳥配置で積層させた状態の一例を示す斜視図である。
【図４】図１に示す骨格ブロックを単純配置で積層させた状態の一例を示す斜視図である。
【図５】従来のユニット部材の側面図である。
【図６】従来のユニット部材を上下及び左右に重ねた場合の側面図である。
【符号の説明】
【００３１】
４、４ａ  骨格ブロック
４１  基台
４１ａ  基台上面
４１ｂ  基台下面
４２  支持体
４２ａ  支持体上側嵌合部
４３  基台側嵌合部
４５  基台外周嵌合部
４６  基台外周嵌合受け部
４７  基台中央嵌合受け部
１０１  ユニット部材
１０２  基盤部
１０３  筒体
【図１】
2007262822.tif 000003
【図２】
2007262822.tif 000004
【図３】
2007262822.tif 000005
【図４】
2007262822.tif 000006
【図５】
2007262822.tif 000007
【図６】
2007262822.tif 000008